(57)【要約】【課題】どのような体格の使用者が背負ったときにも、背負いベルトを使用者の身体に簡単にフィットさせることができ、体格がどんどん大きくなっていく小学生の身体にあわせて背負いベルトを常にフィットさせておくことができるランドセルを提供する。【解決手段】上ベルト３ａと下ベルト３ｂからなり、下ベルト３ｂの使用者の身体に接触する部分に樹脂製形状保持テ−プ８からなる芯材を有し、下ベルト３ｂを使用者の身体に面接触するように形状変更を可能とした背負いベルト３を有するものとしている。【選択図】図２
0003126887.tif 000002
【実用新案登録請求の範囲】
【請求項１】
上ベルト（３ａ）と下ベルト（３ｂ）からなり、下ベルト（３ｂ）の使用者の身体に接触する部分に樹脂製形状保持テ−プ（８）からなる芯材を有し、下ベルト（３ｂ）を使用者の身体に面接触するように形状変更を可能とした背負いベルト（３）を有することを特徴とするランドセル。
【請求項２】
前記上ベルト（３ａ）の使用者の身体に接触する部分に樹脂製形状保持テ−プ（８）からなる芯材を有し、上ベルト（３ａ）を使用者の身体に面接触するように形状変更を可能とした背負いベルト（３）を有することを特徴とする請求項１記載のランドセル。
【請求項３】
前記背負いベルト（３）の外装生地（９）と樹脂製形状保持テ−プ（８）とを縫着したことを特徴とする請求項１または２記載のランドセル。
【請求項４】
前記背負いベルト（３）の外装生地（９）と樹脂製形状保持テ−プ（８）とを鋲（１１）で固定したことを特徴とする請求項１、２または３記載のランドセル。
【考案の詳細な説明】
【技術分野】
【０００１】
この考案は、主として小学生が使用するランドセルに関するものである。
【背景技術】
【０００２】
ランドセルは、物品を収納可能な収納部と、この収納部を背負うための背負いベルトを有しているが、ランドセルを背負ったときに背負いベルトが使用者の身体にフィットしているほど、ランドセルの重心が身体から離れず、ランドセルを安定した状態で背負うことができる。
【０００３】
そのため、従来のランドセルでは、背負いベルトの下連結環や中間連結環等に工夫を凝らし、使用者が背負ったときに背負いベルトが使用者の身体にフィットするようにしている。
【０００４】
例えば、図７に示したようなランドセルでは、一対の背負いベルト２１のそれぞれの下連結環２２の連結辺２２ａを互いに外側に向かって低くなるように傾斜させたものとしている（特許文献１）。
【０００５】
このようにしたランドセルでは、背負いベルト２１は、図９に示したような通常の背負いベルト２１より、図８に示したように背負いベルト２１の下部の外側縁が使用者の身体に近づくように傾斜するため、ランドセルを背負ったときに、使用者の脇腹から胸にかけた部分にその背負いベルト２１の全幅が面接触し易いものとなり、背負いベルト２１が使用者の身体にフィットするものとなる。
【０００６】
さらに、図１０に示したようなランドセルでは、図１１に示したように一対の背負いベルト２１のそれぞれの中間連結環２３の上半部内側に当たる部分２３ａを使用者の身体の外方にひねった形状としたものとしている（特許文献２）。
【０００７】
このようにしたランドセルでは、背負いベルト２１は、下部の外側縁が使用者の身体に近づくように傾斜するため、ランドセルを背負ったときに、使用者の脇腹から胸にかけた部分にその背負いベルト２１の全幅が面接触し易いものとなり、背負いベルト２１が使用者の身体にフィットするものとなる。
【特許文献１】実開平３−２２７１１号公報（第１図、第２図）
【特許文献２】特開平９−２６２１１４号公報（図２、図３）
【考案の開示】
【考案が解決しようとする課題】
【０００８】
しかしながら、従来のランドセルでは、上記したように背負いベルト２１の下部の外側縁が使用者の身体に近づくように傾斜するようにして、使用者が背負ったときに、使用者の脇腹から胸にかけた部分にその背負いベルト２１の全幅が面接触し易いものとなり、背負いベルト２１が使用者の身体にフィットするようにしているものの、その背負いベルト２１の傾斜角度は一定であり、使用者の体格に応じて任意の角度に傾斜させることができないので、どのような体格の使用者の身体にあわせて背負いベルト２１をフィットさせるには不充分である。しかも、ランドセルは、主として成長盛りの小学生が使用するため、体格がどんどん大きくなっていく小学生の身体にあわせて背負いベルト２１を常にフィットさせておくには不充分である。
【０００９】
さらに、従来のランドセルでは、上記したように使用者の脇腹から胸にかけた部分にその背負いベルト２１の全幅が面接触し易いものとなり、背負いベルト２１が使用者の身体にフィットするようにしているものの、使用者の肩の部分ではその背負いベルト２１が部分的にしか接触せず、全幅が面接触しない場合もあり、背負いベルト２１が使用者の身体に完全にはフィットしないということがあった。
【００１０】
そこで、この考案は、上記従来の問題点を解決するものであり、どのような体格の使用者が背負ったときにも、背負いベルトを使用者の身体に簡単にフィットさせることができ、体格がどんどん大きくなっていく小学生の身体にあわせて背負いベルトを常にフィットさせておくことができるランドセルを提供することを目的としてなされたものである。
【課題を解決するための手段】
【００１１】
この考案のランドセルは、上ベルト３ａと下ベルト３ｂからなり、下ベルト３ｂの使用者の身体に接触する部分に樹脂製形状保持テ−プ８からなる芯材を有し、下ベルト３ｂを使用者の身体に面接触するように形状変更を可能とした背負いベルト３を有するものとしている。
【００１２】
そして、この考案のランドセルは、前記上ベルト３ａの使用者の身体に接触する部分に樹脂製形状保持テ−プ８からなる芯材を有し、上ベルト３ａを使用者の身体に面接触するように形状変更を可能とした背負いベルト３を有するものとしている。
【００１３】
さらに、この考案のランドセルは、前記背負いベルト３の外装生地９と樹脂製形状保持テ−プ８とを縫着したものとしている。
【００１４】
また、この考案のランドセルは、前記背負いベルト３の外装生地９と樹脂製形状保持テ−プ８とを鋲１１で固定したものとしている。
【考案の効果】
【００１５】
この考案は、以上に述べたように構成されているので、どのような体格の使用者が背負ったときにも、背負いベルトを使用者の身体に簡単にフィットさせることのできるものとなり、体格がどんどん大きくなっていく小学生の身体にあわせて背負いベルトを常にフィットさせておくことができるものとなる。
【考案を実施するための最良の形態】
【００１６】
以下、この考案の実施の形態を、図面に基づいて詳細に説明する。
【００１７】
図は、この考案のランドセルの一実施形態を示している。このランドセルは、左右のマチ部１ａ、１ａと前仕切り部１ｂ、背部１ｃおよび底部１ｄから成り、教科書、ノート、筆箱などの物品を収納可能な収納部２を有しており、さらにこの収納部２を背負うために背部１ｃの上部から底部１ｄに掛けて取り付けられた一対の背負いベルト３と、前記収納部２の上部開口を開閉自在とした背タレ４を有したものとしている。
【００１８】
背負いベルト３は、上ベルト３ａと下ベルト３ｂからなるものとしており、上ベルト３ａの上端を上連結具５によってランドセルの背部１ｃの上部に取り付け、下ベルト３ｂの下端を下連結具６によってランドセルの底部１ｄに取り付けており、上ベルト３ａと下ベルト３ｂとは中間連結具７によって連結されており、この中間連結具７によって背負いベルト３の長さ調整ができるようにしている。
【００１９】
そして、この背負いベルト３は、使用者の身体に接触する部分の少なくとも一部に、背負いベルト３の形状を変更可能とした樹脂製形状保持テ−プ８を付設したものとしている。
【００２０】
この樹脂製形状保持テ−プ８は、図示したものでは、上ベルト３ａの使用者の肩から胸に接触する部分、および下ベルト３ｂの脇腹に接触する部分に付設したものとしているが、上ベルト３ａまたは下ベルト３ｂの一方だけに付設しても、またこれら以外の部分に付設してもよい。
【００２１】
なお、この考案のランドセルは、図７、８に示したような従来のランドセルの背負いベルト２１の下連結環２２や、図１０、１１示したような従来のランドセルの背負いベルト２１の中間連結環２３と組み合わせたものとして実施することもできる。
【００２２】
そして、この考案のランドセルでは、前記上ベルト３ａと下ベルト３ｂの両方の樹脂製形状保持テ−プ８を付設した部分、または上ベルト３ａと下ベルト３ｂの一方の樹脂製形状保持テ−プ８を付設した部分を使用者の身体との間に隙間が生じないように面接触するように、すなわち使用者の身体に全幅が面接触するように形状変更可能にしている。
【００２３】
例えば、図１ａに示した状態から図１ｂに示した状態に、前記樹脂製形状保持テ−プ８を付設した部分を曲げることにより形状変更すれば、下ベルト３ｂの外側縁が使用者の身体に近づくように傾斜するため、背負い鞄を背負ったときに、使用者の脇腹から胸にかけた部分に下ベルト３ｂの全幅が面接着するものとなり、使用者の身体にフィットするものとなる。
【００２４】
前記樹脂製形状保持テ−プ８を背負いベルト３に付設するには、この背負いベルト３の内側面に付設したり、背負いベルト３の内部に芯材として付設することができる。
【００２５】
背負いベルト３の上ベルト３ａは、図３に示したように、合成皮革などからなる外装生地９（表生地９ａ、裏生地９ｂ）の間に合成樹脂などからなるクッション材１０を挟み込んだものとしており、外装生地９とクッション材１０の間に前記樹脂製形状保持テ−プ８を差し込み、これら外装生地９、クッション材１０および樹脂製形状保持テ−プ８を一纏めにして縫着したものとしている。
【００２６】
また、背負いベルト３の下ベルト３ｂは、図４に示したように、合成皮革などからなる外装生地９（表生地９ａ、裏生地９ｂ）からなり、この間に前記樹脂製形状保持テ−プ８を差し込み、外装生地９および樹脂製形状保持テ−プ８を鋲１１で固定したものとしている。
【００２７】
なお、この場合には、外装生地９および樹脂製形状保持テ−プ８には、あらかじめ鋲１１を貫通させるための孔１２をそれぞれに形成しておけば、両者がずれることなく固定し易いものとなる。
【００２８】
前記背負いベルト３の形状を変更可能とした樹脂製形状保持テ−プ８とは、形状保持性を有する塑性変形可能な合成樹脂からなるものであり、手指などによって曲げると、任意の角度に曲げることができ、さらに異なる曲げ角度に曲げる力が加わるまでは、その形状をほぼそのまま保持し得る合成樹脂からなるものをいう。
【００２９】
このような樹脂製形状保持テ−プ８としては、ポリオレフィンを一軸方向に高倍率延伸することにより得られるものがあり、例えば積水化学工業株式会社製の合成樹脂製形状保持材料である「フォルテ」（商標名）を挙げることができるが、これに限定されるものではない。
【００３０】
以上のように構成したこの考案のランドセルは、その背負いベルトを以下のようにして調整することができる。
【００３１】
先ず、使用者の身体に接触する部分の少なくとも一部に樹脂製形状保持テ−プ８を付設した背負いベルト３を、使用者の肩部に掛け、ランドセルの収納部２を、使用者の背部に背負う。
【００３２】
そして、背負いベルト３の樹脂製形状保持テ−プ８を付設した部分の形状を使用者の身体との間に隙間が生じないように面接触するように、すなわち前記樹脂製形状保持テ−プ８を付設した部分の形状を使用者の身体に全幅が面接触するように調整する。
【００３３】
前記背負いベルト３をこのように調整するには、背負いベルト３の上ベルト３ａの使用者の肩から胸に接触する部分に樹脂製形状保持テ−プ８を付設したものでは、その部分を使用者の肩から胸にかけての湾曲形状に合わせて折り曲げ、その曲げた形状に維持しておけばよく、背負いベルト３の下ベルト３ｂの脇腹に接触する部分に樹脂製形状保持テ−プ８を付設したものでは、その部分の下ベルト３ｂの外側縁が使用者の脇腹に近づくように傾斜させた状態に折り曲げ、その曲げた形状に維持しておけばよい。
【００３４】
なお、ランドセルの使用者が小学生である場合には、その小学生の体格が大きくなっていく毎に、上ベルト３ａと下ベルト３ｂとを連結している中間連結具７によって背負いベルト３の長さ調整を行うと共に、前記樹脂製形状保持テ−プ８を付設した部分の形状の調整を行えばよい。
【００３５】
したがって、このように調整したこの考案のランドセルを背負った場合には、使用者の肩の位置や、使用者の脇腹から胸にかけた位置において、背負いベルト３の全幅が面接触するようになり、背負いベルト３が使用者の身体にフィットしたものとなる。
【００３６】
そして、ランドセルの使用者が小学生である場合には、体格がどんどん大きくなっていく小学生の身体に背負いベルトを常にフィットさせておくことができるものとなる。
【図面の簡単な説明】
【００３７】
【図１ａ】この考案のランドセルの背負いベルトの形状の変更前の状態を示す説明図である。
【図１ｂ】この考案のランドセルの背負いベルトの形状の変更後の状態を示す説明図である。
【図２】この考案のランドセルを使用者が背負った状態を示す側面図である。
【図３】この考案のランドセルの背負いベルトの上ベルトの一部拡大断面図である。
【図４】この考案のランドセルの背負いベルトの下ベルトの平面図である。
【図５】この考案のランドセルの背負いベルトの上ベルトに付設する樹脂製形状保持テープの斜視図である。
【図６】この考案のランドセルの背負いベルトの下ベルトに付設する樹脂製形状保持テープの斜視図である。
【図７】背負いベルトが使用者の身体にフィットする工夫を施した従来のランドセルの一例を背部側から見た状態を示す説明図である。
【図８】図７に示す従来のランドセルの側面図である。
【図９】背負いベルトが使用者の身体にフィットする工夫を施していない従来のランドセルの側面図である。
【図１０】背負いベルトが使用者の身体にフィットする工夫を施した従来のランドセルの他の例を使用者が背負った状態を示す説明図である。
【図１１】図１０に示す従来のランドセルの背負いベルトの中間連結環の斜視図である。
【符号の説明】
【００３８】
３  背負いベルト
３ａ  上ベルト
３ｂ  下ベルト
８  樹脂製形状保持テープ
９  外装生地
１１  鋲
【図１ａ】
0003126887.tif 000003
【図１ｂ】
0003126887.tif 000004
【図２】
0003126887.tif 000005
【図３】
0003126887.tif 000006
【図４】
0003126887.tif 000007
【図５】
0003126887.tif 000008
【図６】
0003126887.tif 000009
【図７】
0003126887.tif 000010
【図８】
0003126887.tif 000011
【図９】
0003126887.tif 000012
【図１０】
0003126887.tif 000013
【図１１】
0003126887.tif 000014